(57)【要約】【課題】一元的な制御を維持しながら見かけ上の制御を多元化することができる有線又は無線通信制御システム、有線又は無線通信制御プログラム、及び有線又は無線通信制御方法を提供すること。【解決手段】通信線Ｗを介した通信ネットワークＮと接続された複数の入出力端末２の一群３Ａ，３Ｂと、入出力端末群３Ａ，３Ｂの入出力端末２の各々と接続されて、入出力端末２の設定情報が入出力される操作端末５，６と、同一の大きさ及びセクタ領域とされて、入出力端末２及び操作端末５，６の設定情報が格納される、第一ＲＡＭ２６、第二ＲＡＭ２７、第三ＲＡＭ２８、第四ＲＡＭ３０と、設定情報を管理する制御部２１と、を有する通信統括端末７と、設定情報に係る信号の変調と復調とを行うモデム４２を有して、通信統括端末７、入出力端末２、操作端末５，６のぞれぞれと１対１で接続される通信部８と、を備えている。【選択図】図１
2011171945.tif 000002
【特許請求の範囲】
【請求項１】
通信線を介した通信ネットワークと接続された複数の入出力端末の一群と、
該入出力端末群の前記入出力端末の各々と接続されて、前記入出力端末の設定情報が入出力される操作端末と、
同一の大きさ及びセクタ領域とされて、前記入出力端末及び前記操作端末の設定情報が格納される、第一ＲＡＭ、第二ＲＡＭ、第三ＲＡＭ、第四ＲＡＭと、前記設定情報を管理する制御部と、を有して、前記通信ネットワークと前記電力線を介して接続された通信統括端末と、
前記設定情報に係る信号の変調と復調とを行うモデムを有して、前記通信統括端末、前記入出力端末、及び前記操作端末のぞれぞれと１対１で接続される通信部と、
を備え、
前記制御部が、前記第一ＲＡＭに格納されていた設定情報を前記第二ＲＡＭへ、及び、前記第三ＲＡＭに格納されていた設定情報を前記第四ＲＡＭへ移設する転送部と、
前記入出力端末及び前記操作端末の最新の設定情報を前記操作端末から読み込む読出部と、
読み込まれた設定情報を前記第一ＲＡＭ又は第三ＲＡＭに記憶する格納部と、
前記第一ＲＡＭ及び前記第二ＲＡＭに格納されたそれぞれの設定情報、又は前記第三ＲＡＭ及び前記第四ＲＡＭに格納されたそれぞれの設定情報を対比する比較部と、
差異のあった設定情報を有する前記入出力端末及び前記操作端末を選択して、当該入出力端末及び操作端末に対して新たな設定情報の書込みを行う書換部と、
を備えていることを特徴とする有線又は無線通信制御システム。
【請求項２】
前記一群の入出力端末がそれぞれ接続された前記操作端末を複数備え、
一の操作端末における前記入出力端末の各々の新旧の設定情報に差異がない場合に、前記読出部が、他の操作端末の設定情報を順次読み込むことを特徴とする請求項１に記載の有線又は無線通信制御システム。
【請求項３】
前記通信部が、前記通信統括端末と接続された第一通信部と、前記入出力端末又は前記操作端末のぞれぞれと１対１で接続された第二通信部と、を備え、
前記第一通信部の前記通信ネットワーク上のアドレス番号が０とされ、
前記第二通信部の前記通信ネットワーク上におけるそれぞれのアドレス番号と、前記第一ＲＡＭ、前記第二ＲＡＭ、前記第三ＲＡＭ、及び前記第四ＲＡＭのセクタ番号とが対応付けされ、
前記比較部が、前記第一ＲＡＭ及び前記第二ＲＡＭにおける同一の前記セクタ番号のセクタ内に格納された前記設定情報同士を比較するとともに、前記第三ＲＡＭ及び前記第四ＲＡＭにおける同一の前記セクタ番号のセクタ内に格納された前記設定情報同士を比較することを特徴とする請求項１又は２に記載の有線又は無線通信制御システム。
【請求項４】
コンピュータを、請求項１から３の何れか一つに記載の制御部として機能させることを特徴とする有線又は無線通信制御プログラム。
【請求項５】
通信線を介した通信ネットワークと接続された一群の入出力端末と、該入出力端末群と接続されて前記入出力端末の各々の設定情報が入出力される操作端末と、を通信統括端末によって一元管理する有線又は無線通信制御方法であって、
前記操作端末及びこれに入力された前記入出力端末群の設定情報を読み込む読出工程と、
読み込まれた前記操作端末及び前記入出力端末群の設定情報を記憶する格納工程と、
読み込み前後の前記操作端末及び前記入出力端末群の設定情報を対比する比較工程と、
読み込み前後の設定情報に差異のあった前記操作端末及び前記入出力端末を選択して、当該操作端末及び入出力端末に対して、新たな設定情報の書込みを行う書換工程と、
を備えていることを特徴とする有線又は無線通信方法。
【請求項６】
前記一群の入出力端末がそれぞれ接続された複数の前記操作端末に対して、
前記比較工程にて、一の操作端末における設定情報に変化がない場合には、他の操作端末に移行して前記読出工程を行うことを特徴とする請求項５に記載の有線又は無線通信制御方法。
【発明の詳細な説明】
【技術分野】
【０００１】
本発明は、多元的な制御を実現可能な有線又は無線通信制御システム、有線又は無線通信制御プログラム、及び有線又は無線通信制御方法に関する。
【背景技術】
【０００２】
産業分野における通信制御手段としては、有線及び無線を用い各種の手段が用いられている。その中で、電力線搬送通信（以下、ＰＬＣと称する。）ネットワークシステムは、変調／復調器（以下、ＰＬＣモデムと称する。）を介して、１個の統括端末（Ｏ／Ｉ）と複数の操作端末（Ｉ／Ｏ）とで構成され、「１（Ｏ）：ｎ（Ｉ）」若しくは、「１（Ｉ）：ｎ（Ｏ）」（ｎは整数として、ネットワーク上のアドレス番号を付与する）の制御形態をとり、破綻のない一元的な制御システムを基本にしており、幅広く使われる通信手段である。
【０００３】
特に、通信手段に制約がある場合に、情報量が比較的小さく高信頼性を要求される一元的な遠隔制御を実現する際（例えば、新幹線のＡＴＣ（自動列車制御装置））、ＰＬＣネットワークシステムは有効なシステムとして位置づけられている。
【０００４】
通信のプロトコルでＰＬＣネットワークシステムを見た場合、「１：ｎ」の「１」側がマスタ機（統括端末を接続）、「ｎ」側が複数のスレーブ機（各々に操作端末を接続）となり、マスタ機はスレーブ機を順に周回して情報の授受を行っている（例えば、特許文献１参照。）。ＰＬＣモデムの操作端末側の信号形態は、ＰＬＣネットワークシステムの通信プロトコルを直接反映したシリアルポートになり、そのままでは２端子を基本とする操作端末に整合しないので、ＰＬＣモデムと操作端末の間に何らかの接続インターフェースを付加する使用形態をとる。多くのＰＬＣネットワークシステムでは、操作端末を入力専用／出力専用にしたシステム形態であるため、ＰＬＣモデムの操作端末側が双方向（１個の操作端末でＩ／Ｏを扱える）の接続インターフェース機能を持たせる仕様は特別扱いになっている。
【先行技術文献】
【特許文献】
【０００５】
【特許文献１】特開２０１０−０２８５６２号公報
【発明の概要】
【発明が解決しようとする課題】
【０００６】
しかしながら、上記従来のＰＬＣネットワークシステムにて、棟別・階別・部屋別・パーテーション仕切り毎のグループとその中の小グループに分割された各操作端末を連携制御する場合には、多元的な制御が必要となり、「１：ｎ」の単純な一元的な制御のままでは要求に対応できない。
【０００７】
ここで、多元化のためにＰＬＣネットワークシステムの安易な複数化は、ネットワーク内の混信や機能分散の損失によるコスト高を招くばかりか、最大の特長である一元的な制御を否定してしまう。また、総括端末の主プログラムを組換えてＰＬＣネットワークの多元化を行う場合、難易度やプログラムの規模からして編集設計とはならず、設計工数やメンテナンスのための準備工数が長大となり現実的でない。また、従来技術として図５に示すような、電力線Ｗ１を使用したＰＬＣネットワークシステムの利用価値は大きいが、電力線専用となるので制約を受ける。
【０００８】
本発明は上記事情に鑑みて成されたものであり、ＰＬＣネットワークのみならず、無線及び専用線を使用した通信システムにおいても、一元的な制御を維持しながら見かけ上の制御を多元化することができる有線又は無線通信制御システム、有線又は無線通信制御プログラム、及び有線又は無線通信制御方法を提供することを目的とする。
【課題を解決するための手段】
【０００９】
本発明は、上記課題を解決するため、以下の手段を採用する。
本発明に係る有線又は無線通信制御システムは、通信線を介した通信ネットワークと接続された複数の入出力端末の一群と、該入出力端末群の前記入出力端末の各々と接続されて、前記入出力端末の設定情報が入出力される操作端末と、同一の大きさ及びセクタ領域とされて、前記入出力端末及び前記操作端末の設定情報が格納される、第一ＲＡＭ、第二ＲＡＭ、第三ＲＡＭ、第四ＲＡＭと、前記設定情報を管理する制御部と、を有して、前記通信ネットワークと前記通信線を介して接続された通信統括端末と、前記設定情報に係る信号の変調と復調とを行うモデムを有して、前記通信統括端末、前記入出力端末、及び前記操作端末のぞれぞれと１対１で接続される通信部と、を備え、前記制御部が、前記第一ＲＡＭに格納されていた設定情報を前記第二ＲＡＭへ、及び、前記第三ＲＡＭに格納されていた設定情報を前記第四ＲＡＭへ移設する転送部と、前記入出力端末及び前記操作端末の最新の設定情報を前記操作端末から読み込む読出部と、読み込まれた設定情報を前記第一ＲＡＭ又は第三ＲＡＭに記憶する格納部と、前記第一ＲＡＭ及び前記第二ＲＡＭに格納されたそれぞれの設定情報、又は前記第三ＲＡＭ及び前記第四ＲＡＭに格納されたそれぞれの設定情報を対比する比較部と、差異のあった設定情報を有する前記入出力端末及び前記操作端末を選択して、当該入出力端末及び操作端末に対して新たな設定情報の書込みを行う書換部と、を備えていることを特徴とする。ここで、ここで言う通信線とは、電力線又は通信専用線又はＵＨＦ帯無線電波を総称して通信線と言い換えている。以下も同様である。
【００１０】
この発明は、操作端末から読み込んで第一ＲＡＭに格納された操作端末及び各入出力端末の設定情報と、第二ＲＡＭに格納された操作端末及び各入出力端末の設定情報と、を通信統括端末内で対比する。この際、差異がない場合には特に処理を行わない一方、差異があった場合には、新旧の設定情報に差異のあった操作端末及び該当する入出力端末のみ、更新後の設定情報を第三ＲＡＭに書き込む。そして、第四ＲＡＭに格納された操作端末及び各入出力端末の設定情報と対比して、差異のある操作端末及び各入出力端末のみに対して設定情報の書換を行う。したがって、通信統括端末は、設定情報に変化のあった操作端末及びその入出力端末のみと通信を行うことにより、操作端末及び入出力端末との通信を必要最小限とすることができる。
【００１１】
また、本発明に係る有線又は無線通信制御システムは、前記有線又は無線通信制御システムであって、前記一群の入出力端末がそれぞれ接続された前記操作端末を複数備え、一の操作端末における前記入出力端末の各々の新旧の設定情報に差異がない場合に、前記読出部が、他の操作端末の設定情報を順次読み込むことを特徴とする。
【００１２】
この発明は、操作端末が複数ある場合に、操作端末における入出力端末群の設定情報の変化の有無を順次確認することによって、変化のあった操作端末及びその入出力端末のみに対して設定情報の変更を行い、変化のなかったものに対しては通信を行わない。したがって、多数の操作端末が接続されていても、通信時間を抑えて必要最小限の処理を行うことができる。
【００１３】
また、本発明に係る有線又は無線通信制御システムは、前記有線又は無線通信制御システムであって、前記通信部が、前記通信統括端末と接続された第一通信部と、前記入出力端末又は前記操作端末のぞれぞれと１対１で接続された第二通信部と、を備え、前記第一通信部の前記通信ネットワーク上のアドレス番号が０とされ、前記第二通信部の前記通信ネットワーク上におけるそれぞれのアドレス番号と、前記第一ＲＡＭ、前記第二ＲＡＭ、前記第三ＲＡＭ、及び前記第四ＲＡＭのセクタ番号とが対応付けされ、前記比較部が、前
記第一ＲＡＭ及び前記第二ＲＡＭにおける同一の前記セクタ番号のセクタ内に格納された前記設定情報同士を比較するとともに、前記第三ＲＡＭ及び前記第四ＲＡＭにおける同一の前記セクタ番号のセクタ内に格納された前記設定情報同士を比較することを特徴とする。
【００１４】
この発明は、通信統括端末の第一ＲＡＭ、第二ＲＡＭ、第三ＲＡＭ、第四ＲＡＭの同一のセクタ番号のセクタ内には、そのアドレス番号として特定される操作端末又は入出力端末の設定情報が格納される。したがって、アドレス番号に対応するセクタ番号のセクタに格納された設定情報をトレースすることにより、各入出力端末と直接通信することなく設定情報の変化の有無を判別することができる。そして、変化のあった操作端末及び入出力端末とのみ通信を行うことにより、的確で円滑な多元的制御を実現することができる。
【００１５】
本発明に係る有線又は無線通信制御プログラムは、コンピュータを前記制御部として機能させることを特徴とする。
【００１６】
また、本発明に係る有線又は無線通信制御方法は、通信線を介した通信ネットワークと接続された一群の入出力端末と、該入出力端末群と接続されて前記入出力端末の各々の設定情報が入出力される操作端末と、を通信統括端末によって一元管理する有線又は無線通信制御方法であって、前記操作端末及びこれに入力された前記入出力端末群の設定情報を読み込む読出工程と、読み込まれた前記操作端末及び前記入出力端末群の設定情報を記憶する格納工程と、読み込み前後の前記操作端末及び前記入出力端末群の設定情報を対比する比較工程と、読み込み前後の設定情報に差異のあった前記操作端末及び前記入出力端末を選択して、当該操作端末及び入出力端末に対して、新たな設定情報の書込みを行う書換工程と、を備えていることを特徴とする。
【００１７】
この発明は、読み込み前後の操作端末及び各入出力端末の設定情報を対比して、両社の間に差異がない場合には特に処理を行わない一方、差異があった場合には、該当する操作端末及び入出力端末のみに対して、更新後の設定情報を書き込む。この際、通信統括端末は、設定情報に変化のあった操作端末及びその入出力端末のみと通信を行う。したがって、操作端末及び入出力端末との通信を必要最小限とすることができる。
【００１８】
また、本発明に係る有線又は無線通信制御方法は、前記有線又は無線通信制御方法であって、前記一群の入出力端末がそれぞれ接続された複数の前記操作端末に対して、前記比較工程にて、一の操作端末における設定情報に変化がない場合には、他の操作端末に移行して前記読出工程を行うことを特徴とする。
【発明の効果】
【００１９】
本発明によれば、通信線を介した通信ネットワークと接続された一群の入出力端末と、該入出力端末群と接続されて入出力端末の各々の設定情報が入出力される操作端末と、を通信統括端末にて一元的な制御を維持しながら、操作端末における見かけ上の制御を多元化することができる。
【図面の簡単な説明】
【００２０】
【図１】本発明の一実施形態に係る有線又は無線通信制御システムを示す概要図である。
【図２】本発明の一実施形態に係る有線又は無線通信制御プログラムを示す機能ブロック図である。
【図３】本発明の一実施形態に係る有線又は無線通信制御システムにおける通信プロトコルのデータ構造を示す説明図である。
【図４】本発明の一実施形態に係る有線又は無線通信制御方法を示すフロー図である。
【図５】従来の電力線搬送通信制御システムを示す概要図である。
【発明を実施するための形態】
【００２１】
本発明に係る一実施形態について、図１から図４を参照して説明する。
本実施形態に係る有線又は無線通信制御システム１は、図１に示すように、通信線Ｗを介した通信ネットワークＮと接続された複数の入出力端末２からなる入出力端末群３Ａ，３Ｂと、入出力端末群３Ａ，３Ｂのそれぞれと接続される操作端末５，６と、通信ネットワークＮと通信線Ｗを介して接続された通信統括端末７と、通信統括端末７、入出力端末２、及び操作端末５，６のぞれぞれと１対１で接続される通信部８と、を備えている。
【００２２】
入出力端末２は、モデム１０と、仕事に必要な処理を行う端末側マイクロコントローラ１１と、通信部８とのインタフェース部１２と、を備えている。ここで、入出力端末２によっては、モデム１０と通信部８との間の情報の流れが、通信部８からモデム１０へ向かう方向のものだけでなく、入出力端末２Ａのように、モデム１０から通信部８へ向かう方向のものでもよい。
【００２３】
操作端末５，６は、通信部８とのインタフェース部１５と、接続された各入出力端末２の設定情報が入力される操作部１６と、各入出力端末２の設定情報が表示される表示部１７と、通信線Ｗと接続されたモデム１８と、これらに対して必要な処理を行うプログラムが格納された操作側マイクロコントローラ２０と、を備えている。
【００２４】
通信統括端末７は、設定情報の処理を行う統括側マイクロコントローラ（制御部）２１と、通信部８とのインタフェース部２２と、操作端末５，６及び各入出力端末２の設定情報が入力される操作部２３及びその設定情報が表示される表示部２５と、同一の大きさ及びセクタ数とされて、操作端末５，６及び各入出力端末２の設定情報が格納される第一ＲＡＭ（Ｒａｎｄｏｍ  Ａｃｃｅｓｓ  Ｍｅｍｏｒｙ）２６、第二ＲＡＭ２７、第三ＲＡＭ２８、第四ＲＡＭ３０と、ＲＯＭ（Ｒｅａｄ  Ｏｎｌｙ  Ｍｅｍｏｒｙ）３１と、通信線Ｗと接続されたモデム３２と、を備えている。
【００２５】
統括側マイクロコントローラ２１は、機能手段（プログラムモジュール）として、図２に示すように、第一ＲＡＭ２６に格納されていた設定情報を第二ＲＡＭ２７へ、又は、第三ＲＡＭ２８に格納されていた設定情報を第四ＲＡＭ３０へ移設する転送部３３と、入出力端末２及び操作端末５，６の最新の設定情報を操作端末５，６から読み込む読出部３５と、読み込まれた設定情報を第一ＲＡＭ２６又は第三ＲＡＭ２８に記憶させる格納部３６と、第一ＲＡＭ２６及び第二ＲＡＭ２７に格納されたそれぞれの設定情報、又は第三ＲＡＭ２８及び第四ＲＡＭ３０に格納されたそれぞれの設定情報を対比する比較部３７と、差異のあった設定情報を有する入出力端末２及び操作端末５，６を選択して、当該入出力端末及び操作端末に対して新たな設定情報の書込みを行う書換部３８と、を備えた処理プログラムＰに基づき、所定の処理を行う。
【００２６】
ＲＯＭ３１には、操作端末５，６のそれぞれと接続された入出力端末群３Ａ，３Ｂのグループ情報や、処理プログラムＰに基づく処理手順等が格納されている。ＲＯＭ３１の大きさや構造は、第一ＲＡＭ２６、第二ＲＡＭ２７、第三ＲＡＭ２８、第四ＲＡＭ３０と同一となっている。
【００２７】
通信部８は、通信統括端末７と接続された第一通信部４０と、入出力端末２又は操作端末５，６のぞれぞれと１対１で接続された第二通信部４１と、を備えている。第一通信部４０は、設定情報に係る信号の変調と復調とを行うモデム４２と、通信統括端末７とのインタフェース部４３と、通信線Ｗと接続されたモデム４５と、通信処理を行う通信用マイクロコントローラ４６と、Ｉ／Ｏ用の内部メモリ４７と、を備えている。第二通信部４１も第一通信部４０と略同一の構成となっている。内部メモリ４７の大きさや構造は、第一ＲＡＭ２６、第二ＲＡＭ２７、第三ＲＡＭ２８、第四ＲＡＭ３０、及びＲＯＭ３１と同一となっている。
【００２８】
第一通信部４０は、通信ネットワークＮ上のアドレス番号が０とされている。また、第二通信部４１の通信ネットワークＮ上におけるそれぞれのアドレス番号と、第一ＲＡＭ２６、第二ＲＡＭ２７、第三ＲＡＭ２８、第四ＲＡＭ３０の各セクタ番号とが対応付けされている。そして、比較部３７は、第一ＲＡＭ２６及び第二ＲＡＭ２７における同一のセクタ番号内に格納された設定情報同士を比較するとともに、第三ＲＡＭ２８及び第四ＲＡＭ３０における同一のセクタ番号内に格納された設定情報同士を比較する。
【００２９】
設定情報のバイト数は、通信部８の内部メモリ４７、及びＲＯＭ３１、第一ＲＡＭ２６、第二ＲＡＭ２７、第三ＲＡＭ、第四ＲＡＭ３０の各セクタの領域（バイト数）と同一となっている。このとき、例えば、設定情報の通信電文の図３（ａ）に示すような先頭データにセクタ番号が割り当てられる。ここで、メモリのアドレス番号の上位８ｂｉｔがセクタ番号とされ、メモリのアドレス番号の下位８ｂｉｔがセクタのアドレス番号となる。このように、セクタのアドレス番号を展開して二次元化したものに、セクタ番号を組み合わせることにより、ＲＯＭ３１や第一ＲＡＭ２６、第二ＲＡＭ２７、第三ＲＡＭ２８、第四ＲＡＭ３０を三次元の階層構造としている。
【００３０】
ここで、一通信電文で読み込み／書込み可能な最大バイト数を１６バイトとすると、２５６バイトを対象にした場合、最大１６回の読み込み／書込みが実行される。読み込み／書込みの識別は、図３（ｂ）に示すように、例えば、指令電文を構成するデータの一つにおける上位１ｂｉｔ目にて識別する。
【００３１】
次に、本実施形態における有線又は無線通信制御方法について、有線又は無線通信制御システム１の作用と合わせて説明する。
この方法及びその処理プログラムＰによる処理は、図４に示すように、転送工程（Ｓ０１）と、読出工程（Ｓ０２）と、格納工程（Ｓ０３）と、比較工程（Ｓ０４）と、書換工程（Ｓ０５）と、を備えている。
【００３２】
転送工程（Ｓ０１）は、第一ＲＡＭ２６に格納されていた設定情報を第二ＲＡＭ２７へ、及び、第三ＲＡＭ２８に格納されていた設定情報を第四ＲＡＭ３０へ移設する。
【００３３】
読出工程（Ｓ０２）は、読み込み対象とされた操作端末５，６又は操作端末５，６と接続された第二通信部４１のアドレス番号を指定するとともに、指定された操作端末５，６、及びこの操作端末５，６における入出力端末２の最新の設定情報を読み込む。
【００３４】
格納工程（Ｓ０３）は、読み込まれた設定情報を、上記アドレス番号に対応する第一ＲＡＭ２６のセクタ内に記憶し、格納工程（Ｓ１３）は、読み込まれた設定情報を、上記アドレス番号に対応する第三ＲＡＭ２８のセクタ内に記憶する。
【００３５】
比較工程（Ｓ０４）は、第一ＲＡＭ２６及び第二ＲＡＭ２７の所定のセクタに格納されたそれぞれの設定情報を対比する。また、比較工程（Ｓ１４）は、第三ＲＡＭ２８及び第四ＲＡＭ３０の所定の番号のセクタ内に格納されたそれぞれの設定情報を対比する。
【００３６】
書換工程（Ｓ０５）は、差異のあった設定情報を有する入出力端末２及び操作端末５，６のみを選択して、当該入出力端末及び操作端末に対して新たな設定情報の書込みを行う。
【００３７】
この有線又は無線通信制御システム１及び有線又は無線通信制御方法を用いた制御動作について説明する。
【００３８】
まず、転送工程（Ｓ０１）にて、第一ＲＡＭ２６に格納されていた設定情報が第二ＲＡＭ２７に移設される。また、第三ＲＡＭ２８に格納されていた設定情報が第四ＲＡＭ３０へ移設される。
【００３９】
次に、読出工程（Ｓ０２）にて、まずは、操作端末５と接続された第二通信部４１のアドレス番号を指定するとともに、指定された操作端末５における入出力端末２及び操作端末５の最新の設定情報を操作端末５から読み込む。
【００４０】
そして、格納工程（Ｓ０３）に移行して、読み込まれた設定情報を、上記アドレス番号に対応するセクタ番号の第一ＲＡＭ２６のセクタ内に記憶する。
【００４１】
続いて、比較工程（Ｓ０４）に移行して、第一ＲＡＭ２６及び第二ＲＡＭ２７の所定のセクタ番号に該当するセクタに格納されたそれぞれの設定情報を対比する。
【００４２】
このとき、設定情報に変化がない場合には、読出工程（Ｓ０２）に移行して、操作端末６と接続された第二通信部４１のアドレス番号を指定するとともに、指定された操作端末６における入出力端末２及び操作端末６の最新の設定情報を操作端末６から読み込む。そして、同様に、格納工程（Ｓ０３）、比較工程（Ｓ０４）を実施する。
【００４３】
一方、操作端末６に接続された入出力端末群３Ｂの一つの入出力端末２の設定情報が、操作端末６の操作部１６への入力によって更新された場合には、比較工程（Ｓ０４）にて、該当する操作端末６及び入出力端末２の設定情報の対比結果が異なったものとなる。このときには格納工程（Ｓ１３）に移行して、差異のあった設定情報から、該当する入出力端末２及び操作端末６のアドレス番号を指定して、更新された設定情報を第三ＲＡＭ２８の該当するセクタに書き込む。
【００４４】
次に、比較工程（Ｓ１４）に移行して、第三ＲＡＭ及び第四ＲＡＭ３０の所定のセクタ番号に対応するセクタ内に格納されたそれぞれの設定情報を対比する。そして、書換工程（Ｓ０５）に移行して、差異のあった設定情報から、該当する入出力端末２及び操作端末６と接続された第二通信部４１のそれぞれのアドレス番号のみを選択して、当該入出力端末２及び操作端末６に対して新たな設定情報の書込みを第一通信部４０及び第二通信部４１を介して行う。
【００４５】
この有線又は無線通信制御システム１及び有線又は無線通信制御方法によれば、指定されたアドレス番号の第二通信部４１と接続された操作端末５，６から読み込んで第一ＲＡＭ２６に格納された操作端末５，６及び入出力端末２の設定情報と、第二ＲＡＭ２７に格納された操作端末５，６及び各入出力端末２の読み込み前の設定情報と、を通信統括端末７内で対比する。この際、両者の間で差異がない場合には特に処理を行わない一方、差異があった場合には、差異のあった操作端末５，６及び該当する入出力端末２のみ、更新後の設定情報を第三ＲＡＭ２８に書き込む。そして、第四ＲＡＭ３０に格納された操作端末５，６及び入出力端末２の設定情報と対比して、差異のある操作端末５，６及び入出力端末２のみに対して設定情報の書換を行う。これにより、通信統括端末７は、設定情報に変化のあった操作端末５，６及びその入出力端末２のみと通信を行う。
【００４６】
したがって、操作端末５，６及び入出力端末２との通信回数を必要最小限とすることができ、一元的な制御を維持しながら、見かけ上の制御を図５に示すような多元的な制御と同様の制御を行うことができる。この結果、例えば、通信統括端末７に、操作端末５，６の設定に対する制御上の割り込みを行わせることができる。また、これに関連して、各操作端末５，６においては、グループ全体のリモート（割り込み許可）設定操作を行うことができる。
【００４７】
特に、複数の操作端末５，６に対して、操作端末毎に、接続された入出力端末群３Ａ，３Ｂの設定情報の変化の有無を順次確認することによって、変化のあった操作端末５，６及びその入出力端末２のみに対して設定情報の変更を行い、変化のなかったものに対しては通信を行わない。そのため、操作端末が多数接続されていても、通信時間を抑えて必要最小限の処理を行うことができる。
【００４８】
また、第一通信部４０の通信ネットワークＮ上のアドレス番号が０とされ、第二通信部４１の通信ネットワークＮ上におけるそれぞれのアドレス番号と、第一ＲＡＭ２６、第二ＲＡＭ２７、第三ＲＡＭ２８、第四ＲＡＭ３０、及びＲＯＭ３１のセクタ番号とが対応付けとされ、第一ＲＡＭ２６、第二ＲＡＭ２７、第三ＲＡＭ２８、第四ＲＡＭ３０の同一のセクタ番号のセクタ内には、同一のアドレス番号として特定される操作端末５，６又は入出力端末２毎の設定情報が格納される。そして、比較部３７が、第一ＲＡＭ２６及び第二ＲＡＭ２７における同一のセクタ番号のセクタ内に格納された設定情報同士を比較するとともに、第三ＲＡＭ２８及び第四ＲＡＭ３０における同一のセクタ番号のセクタ内に格納された設定情報同士を比較する。
【００４９】
そのため、セクタに格納された設定情報をトレースすることにより、各入出力端末２と直接通信することなく設定情報の変化の有無を判別することができる。そして、変化のあった操作端末５，６及び入出力端末２とのみ通信を行うことにより、的確で円滑な多元的制御を実現することができる。
【００５０】
さらに、ＲＯＭ３１内にプログラムＰを格納することにより、ＲＯＭ３１をリムーバブルメモリとすることもでき、構築されるシステムに合わせてＲＯＭ３１に格納された処理プログラムＰのみを編集することができる。
【００５１】
なお、本発明の技術範囲は上記実施の形態に限定されるものではなく、本発明の趣旨を逸脱しない範囲において種々の変更を加えることが可能である。
例えば、操作端末５，６及び入出力端末群３Ａ，３Ｂの数は、それぞれ２つずつとしているが、これに限らず、１つずつでも、３つ以上ずつでも構わない。また、設定情報のバイト数は２５６バイトに限定されることはなく、５１２バイト等、特に制限はない。
【実施例１】
【００５２】
上記実施形態において、入出力端末２としての灯具が第二通信部４１と接続され、さらに、通信線Ｗを介して、操作部１６として操作スイッチ及び表示部１７として設定モニタを有する操作端末５，６としての操作パネルと接続されるとともに、通信統括端末７としての統括管理パネルと接続された灯具管理システムとする。この際、部屋毎に操作パネルが分かれて設置されているとする。このとき、ある部屋の灯具を消灯状態から点灯状態にするために、該当する部屋の操作パネルの操作スイッチをＯＮとすることにより、当該操作パネル及び当該灯具の設定状態が変更されたことになる。
【００５３】
通信統括端末７は、転送工程（Ｓ０１）を行った後、各操作パネルに対して、読出工程（Ｓ０２）から比較工程（Ｓ０４）までを順に行う。この際、設定情報に変更のない操作パネルの場合には、次の部屋の操作パネルに移行して、設定情報が変更された操作パネルにたどりつくまでこれを繰り返す。
【００５４】
一方、変更のあった操作パネルの設定情報を読み込んだ際には、この操作パネルの設定情報を第一ＲＡＭ２６に格納し、第二ＲＡＭ２７に格納された一周回前の設定情報と比較したときには、両者に差異があることになる。そこで、比較工程（Ｓ０４）のあと、格納工程（Ｓ０３）に移行して当該操作パネル及び当該灯具に関する設定情報を第三ＲＡＭ２８に記憶する。そして、比較工程（Ｓ０４）に移行して第四ＲＡＭ３０に格納された設定情報と対比して、さらに書換工程（Ｓ０５）にて差異のある操作パネル及び灯具のみに対して設定情報の書換を行う。これにより、当該操作パネルの当該灯具に係る設定モニタに表示される情報が消灯状態から点灯状態に書き換えられ、当該灯具が消灯状態から点灯状態となる。
【００５５】
なお、入出力端末２の一つを人感センサとして、人感センサからの入力情報に基づいて該当する操作パネルの設定情報を変更させるようにしてもよい。また、灯具管理システムに限らず、ホテルの客室の管理システムや、警報システム、温室の管理システム等にも適用できる。
【符号の説明】
【００５６】
１  有線又は無線通信制御システム
２  入出力端末
３Ａ，３Ｂ  入出力端末群
５，６   
操作端末
７  通信統括端末
８  通信部
２１  統括側マイクロコントローラ（制御部）
２６  第一ＲＡＭ
２７  第二ＲＡＭ
２８  第三ＲＡＭ
３０  第四ＲＡＭ
３３  転送部
３５  読出部
３６  格納部
３７  比較部
３８  書換部
４０  第一通信部
４１  第二通信部
４２  モデム
Ｎ  通信ネットワーク
Ｐ  有線及び無線通信制御プログラム
Ｗ  通信線
Ｗ１  電力線
【図１】
2011171945.tif 000003
【図２】
2011171945.tif 000004
【図３】
2011171945.tif 000005
【図４】
2011171945.tif 000006
【図５】
2011171945.tif 000007